(57)【要約】【課題】  冬季に半屋外空間側からの日光を屋内空間に多く取り込むとともに、半屋外空間においては夏季の日光を遮る量を従来より増やすことができ、さらに屋内空間においては開放的で居心地のよい居住空間を居住者に与え、また半屋外空間においても開放的ながらも安心感のある休憩スペースを有する住宅を提供することを目的とする。【解決手段】  中間階に設けられた屋内空間３と半屋外空間２とを備え、屋内空間３は、２面が半屋外空間２と隣接し、当該２面に隣接して上階に吹き抜け、住宅１は、上階の天井高さと略同じ高さにおいて半屋外空間２の床５を覆うように突出している突出部４と、半屋外空間２の床５から突出部４まで略鉛直方向に延びている柱体６〜８とをさらに備え、中間階及び上階において上記２面にわたって屋内空間３と半屋外空間２との境界に開口部１６ａ，１７ａ，１８，１９が設けられている住宅１。【選択図】図４
2014084586.tif 000002
【特許請求の範囲】
【請求項１】
１階よりも上の階において、中間階と当該中間階に連続する上階との２階層を有する住宅であって、
前記住宅は、前記中間階に設けられた屋内空間と半屋外空間とを備え、
前記屋内空間の床と前記半屋外空間の床とが略同一面上にあり、
前記屋内空間は、当該屋内空間の２面が前記半屋外空間と隣接し、当該２面に隣接して前記上階に吹き抜けており、
前記住宅は、前記上階の天井高さと略同じ高さにおいて前記半屋外空間の床を覆うように突出している突出部と、
前記半屋外空間の床から前記突出部まで略鉛直方向に延びている柱体とをさらに備え、
前記中間階及び前記上階において上記２面にわたって前記屋内空間と前記半屋外空間との境界に開口部が設けられていることを特徴とする住宅。
【請求項２】
前記開口部が、前記中間階及び前記上階において前記屋内空間と前記半屋外空間との境界の略全体にわたって設けられていることを特徴とする請求項１に記載の住宅。
【請求項３】
前記突出部は、平面視において前記半屋外空間の床の略全面を覆っていることを特徴とする請求項１又は２に記載の住宅。
【発明の詳細な説明】
【技術分野】
【０００１】
本発明は、住宅に関し、さらに詳しくは、冬季の日光を多く取り込むとともに、夏季の日光を多く遮るための住宅に関する。
【背景技術】
【０００２】
従来、３階と４階とで１つの住戸を構成している集合住宅が開示されている（例えば、特許文献１）。上記住戸では、４階の床が、吹き抜け部を残して設けられ、３階の床の外側への延長線上に、屋内空間の一面のみに隣接したバルコニーを形成しており、このバルコニーの上方からの日光を吹抜け部に取り入れることによって、採光を良くすることができる。特に、冬季の日光を多く取り込むことによって、室内の暖房効果が得られる。
【先行技術文献】
【特許文献】
【０００３】
【特許文献１】特開２００２−５４３１３号公報
【発明の概要】
【発明が解決しようとする課題】
【０００４】
しかしながら、上記住戸では、バルコニーの床から当該バルコニーの屋根を支持するものが無いため、夏季の日光を多く遮るために当該バルコニーの屋根を屋外方向に延ばすことが構造上制限されていた。また、上記住戸では、屋内空間の一面のみにバルコニーが隣接しているため、屋内空間における居住者の開放感が軽減されてしまう。
【０００５】
本発明は、上記のような課題に鑑みてなされたものであり、冬季に半屋外空間側からの日光を屋内空間に多く取り込むとともに、半屋外空間においては夏季の日光を遮る量を従来より増やすことができ、さらに屋内空間においては開放的で居心地のよい居住空間を居住者に与え、また半屋外空間においても開放的ながらも安心感のある休憩スペースを有する住宅を提供することを目的とする。
【課題を解決するための手段】
【０００６】
上記目的を達成するために、第１の発明に係る住宅は、１階よりも上の階において、中間階と当該中間階に連続する上階との２階層を有する住宅であって、前記住宅は、前記中間階に設けられた屋内空間と半屋外空間とを備え、前記屋内空間の床と前記半屋外空間の床とが略同一面上にあり、前記屋内空間は、当該屋内空間の２面が前記半屋外空間と隣接し、当該２面に隣接して前記上階に吹き抜けており、前記住宅は、前記上階の天井高さと略同じ高さにおいて前記半屋外空間の床を覆うように突出している突出部と、前記半屋外空間の床から前記突出部まで略鉛直方向に延びている柱体とをさらに備え、前記中間階及び前記上階において上記２面にわたって前記屋内空間と前記半屋外空間との境界に開口部が設けられていることを特徴としている。
【０００７】
第２の発明に係る住宅は、上記構成に加え、前記開口部が、前記中間階及び前記上階において前記屋内空間と前記半屋外空間との境界の略全体にわたって設けられていることを特徴としている。
【０００８】
第３の発明に係る住宅は、上記構成に加え、前記突出部が、平面視において前記半屋外空間の床の略全面を覆っていることを特徴としている。
【発明の効果】
【０００９】
第１の発明に係る住宅によれば、前記柱体が、前記半屋外空間の床から前記上階の天井高さと略同じ高さの突出部まで延びており、前記半屋外空間が前記中間階及び前記上階の２階層にわたっている。また、前記屋内空間は、前記上階に吹き抜けており、前記中間階及び前記上階において前記屋内空間と前記半屋外空間との境界に開口部が設けられている。このような構成により、２階層にまたがって半屋外空間の上方からの日光を屋内空間に取り入れることによって、特に冬季の日光を多く取り込むことができる。さらに、前記柱体が、前記半屋外空間の床から前記突出部まで略鉛直方向に延びており、前記突出部を支持可能に構成されているため、半屋外空間の突出部を屋外方向に延ばすことを可能にすることによって夏季の日光を多く遮ることができる。また、突出部を壁などの面材によって支持する場合と比べて、突出部を支持している柱体は、遮光性が少ないため、冬季の日光を遮光することなく、多く取り入れることができる。
【００１０】
また、前記半屋外空間の突出部を屋外方向に延ばした場合であっても、前記半屋外空間は、２階層にわたっているため、前記半屋外空間から上方への視界が広角になり、視野が広がる。さらに、半屋外空間の外面は２方向にわたっているため、前記半屋外空間から左右方向への視界が広角になり、視野が広がる。このため、前記半屋外空間からの視界は上方及び左右方向において広範囲に広がるため、空や自然を多く感じ、外とのつながりを多くすることができる。また、前述のように前記半屋外空間の突出部を屋外方向に延ばすことにより、居住者が、半屋外空間においても開放的ながらも安心感のある休憩スペースとして当該半屋外空間を利用することができる。また、前記屋内空間は、当該屋内空間の２面が前記半屋外空間と隣接し、当該２面に隣接して前記上階に吹き抜けており、前記中間階及び前記上階において上記２面にわたって前記屋内空間と前記半屋外空間との境界に開口部が設けられているため、前記屋内空間において、上記２面かつ２階層にわたって、前記半屋外空間を介して外とのつながりを多くすることができ、開放的で居心地のよい居住空間を居住者に与えることができる。
【００１１】
第２の発明に係る住宅によれば、前記開口部が、前記中間階及び前記上階において前記屋内空間と前記半屋外空間の上方空間との境界の略全体にわたって設けられている。このような構成により、２階層かつ２方向にまたがって半屋外空間の上方からの日光を屋内空間に一層多く取り入れることが可能であり、特に冬季の日光を一層多く取り込むことができる。
【００１２】
第３の発明に係る住宅によれば、前記突出部は、平面視において前記半屋外空間の床の略全面を覆っているため、入射角の大きい夏季の日光を一層多く遮ることができる。
【図面の簡単な説明】
【００１３】
【図１】本発明に係る住宅１の一例を示す概略正面図である。
【図２】本発明に係る住宅１の一例を示す概略側面図である。
【図３】本発明に係る住宅１の一例を示す概略平面図である。
【図４】本発明に係る住宅１の一例において半屋外空間２を中心に拡大した概略斜視図である。
【図５】（ａ）〜（ｃ）の各々は、図１の住宅１をＡ−Ａ、Ｂ−Ｂ及びＣ−Ｃの切断線によりそれぞれ切断した場合の一例を示す断面図である。
【図６】図３の住宅１をＤ−Ｄ切断線により切断した場合の一例を示す斜視断面図である。
【発明を実施するための形態】
【００１４】
本発明に係る住宅の実施の形態について、図面を参照しつつ説明する。本発明に係る住宅１は、３階層以上の階層を有する住宅１である。ここでは、住宅１は、図１〜図３に示すように、３階建ての略立方体形状の戸建て住宅であり、最上階の３階と最下階の１階との間に中間階として２階を有している。住宅１は、図６に示すように、２階に床３ａを有する屋内空間３を備え、当該床３ａの屋外方向への略延長線上に床５を有する半屋外空間２をさらに備えている。つまり、屋内空間３の床３ａと半屋外空間２の床５とは、略同一面上にある。
【００１５】
半屋外空間２は、２階に床５を有し、２階及び３階にわたって広がっている、床５の上方空間を有している。当該半屋外空間２は、図４及び図５（ｂ）に示すように、住宅１の外周面のうちの正面及び一側面に沿って設けられ、平面視においてＬ字状に形成されている。当該半屋外空間２の床５は、住宅１の外壁１２の一部である正面外壁１３ａ及び側面外壁１３ｂから屋外側に向かってそれぞれ張り出した部分である正面側床５ａ及び側面側床５ｂを有している。これらの正面側床５ａ及び側面側床５ｂは、平面視において矩形状をそれぞれ呈し、互いに略直角に交わることによって角床５ｃを形成している。ここでは、正面外壁１３ａの外面が、略南の方角を向いており、側面外壁１３ｂの外面が、略東の方角を向いている。
【００１６】
屋内空間３は、図５（ｂ）及び図６に示すように、２階に配置された空間であり、当該屋内空間３の上方が、図５（ｂ）において２点鎖線で示すように、２階から３階にまたがって吹き抜けている。屋内空間３は、平面視において、矩形状に形成されるとともに、その外縁のうち、屋外側の略直交する２辺が正面外壁１３ａ及び側面外壁１３ｂによってそれぞれ画定されている。つまり、屋内空間３は、当該屋内空間３の正面及び一側面の２面が半屋外空間２と隣接し、当該２面に隣接して２階から３階に吹き抜けている。ここでは、屋内空間３は、居室内における空間であり、当該居室には、椅子１４及びテーブル１５が設置されており、屋内空間３は、居住者等が団らんすることができる空間となっている。
【００１７】
また、正面外壁１３ａ及び側面外壁１３ｂには、図４に示すように、屋内空間３と半屋外空間２との間を相互に移動可能にするための正面戸１６及び側面戸１７が設けられている。これにより、居住者等は、正面戸１６を介して屋内空間３の床３ａ上から半屋外空間２の正面側床５ａ上に移動可能であり、側面戸１７を介して屋内空間３の床３ａ上から半屋外空間２の側面側床５ｂ上に移動可能である。
【００１８】
正面戸１６及び側面戸１７には開口部１６ａ，１７ａがそれぞれ設けられており、正面外壁１３ａにおける正面戸１６の上方には開口部１８が設けられ、側面外壁１３ｂにおける側面戸１７の上方には開口部１９が設けられている。開口部１６ａ及び開口部１８は、正面外壁１３ａにおいて、２階及び３階にわたって設けられており、ここでは、開口部１６ａが２階に設けられ、開口部１８が３階に設けられている。また、開口部１７ａ及び開口部１９は、側面外壁１３ｂにおいて、２階及び３階にわたって設けられており、ここでは、開口部１７ａが２階に設けられ、開口部１９が３階に設けられている。これにより、２階及び３階の２階層にわたって、半屋外空間２を介した屋内空間３への採光、通風等を住居１の正面側及び一側面側の２方向から行うことができる。なお、開口部１６ａ，１７ａ，１８，１９には、開閉可能な窓、はめ殺しの窓等が設けられている。
【００１９】
住宅１は、３階の上側において、略水平方向に設けられた陸屋根、又は緩勾配に設けられた勾配屋根である屋根９をさらに備えている。屋根９には、半屋外空間２の上方において屋内側から屋外側に向かって突出している突出部４が設けられており、屋内空間３への夏季における日差し、半屋外空間２への雨等を防いでいる。
【００２０】
突出部４は、３階の天井高さと略同じ高さに設けられ、略水平方向において屋外側に延び、平面視において半屋外空間２の床５の略全体を覆っている。ここでは、突出部４は、半屋外空間２の上方において、屋根９が正面外壁１３ａ及び側面外壁１３ｂの各々の屋外側端部から屋外側に向かって略水平方向に延びていることによって形成された軒１０と、住宅１の正面及び側面において軒１０の屋外側端部から屋外側に向かって略水平方向に張り出している庇１１とを有している。
【００２１】
軒１０は、例えば、略水平方向における長さ、すなわち正面外壁１３ａ及び側面外壁１３ｂから当該軒１０の屋外側端部までの各長さが、それぞれ１ｍ５０ｃｍ以上である。また、庇１１は、例えば、略水平方向における長さ、すなわち住宅１の正面及び側面において軒１０の屋外側端部から当該庇１１の屋外側端部までの各長さが、それぞれ４５ｃｍ以上である。
【００２２】
住宅１は、半屋外空間２の床５から上方に向かって立設されるとともに、突出部４を支持している柱体６〜８をさらに備えている。各柱体６〜８は、いわゆる独立柱であり、当該各柱体６〜８の幅方向、すなわち厚み方向において壁とは独立した柱である。当該各柱体６〜８は、正面側床５ａ、角床５ｃ及び側面側床５ｂから略鉛直方向上方に向かって突出部４までそれぞれ延びている。ここでは、各柱体６〜８は、略円柱形状を有しており、例えば、当該各柱体６〜８の厚み、すなわち水平方向断面の差し渡しは２０ｃｍ以下である。なお、各柱体６〜８の厚みは、当該各柱体６〜８に加わる突出部４の荷重、当該各柱体６〜８に取り付けられる耐火被覆の厚み等に応じて適宜調整されるものである。
【００２３】
本実施の形態による住宅１では、半屋外空間２が、少なくとも２階層にまたがって設けられており、屋内空間３が半屋外空間２に面して配置され、屋内空間３の上方が半屋外空間２と同じ階層にまたがって吹き抜けている。また、２階及び３階において屋内空間３と半屋外空間２の上方空間との境界に位置している外壁１２に開口部１６ａ，１７ａ，１８，１９が設けられている。このような構成により、図６に示すように、２階層以上にまたがっている半屋外空間２からの日光を当該半屋外空間２と同じ階層にまたがって吹き抜けている屋内空間３に取り入れることによって冬季の日光Ｗを多く取り込むことができる。また、屋内空間３は、上方が、半屋外空間２に隣接している正面側及び一側面側において３階に吹き抜けているため、屋内空間３への冬季の日光Ｗの取り込みを正面側及び一側面側の２方向から行うことができる。
【００２４】
さらに、各柱体６〜８が、半屋外空間２の床５から上方に向かって立設され、当該半屋外空間２の上方において屋内側から屋外側に向かって突出している突出部４を支持している。このような構成により、半屋外空間２の突出部４を屋外方向に延ばすことを可能にすることによって、入射角の大きい夏季の日光Ｓを多く遮ることができる。また、突出部４を壁などの面材によって支持する場合と比べて、突出部４を支持している各柱体６〜８は、遮光性が少ないため、冬季の日光Ｗを遮ることなく、多く取り入れることができる。
【００２５】
また、半屋外空間２の突出部４を屋外方向に延ばした場合であっても、前記半屋外空間２は、２階層にわたっているため、半屋外空間２から上方への視界が広角になり、視野が広がる。さらに、半屋外空間２の外面は住宅１の正面及び一側面の２方向にわたっているため、半屋外空間２から左右方向への視界が広角になり、視野が広がる。このため、半屋外空間２からの視界は上方及び左右方向において広範囲に広がるため、空や自然を多く感じ、外とのつながりを多くすることができる。また、前述のように半屋外空間２の突出部を屋外方向に延ばすことにより、居住者が、半屋外空間２においても開放的ながらも安心感のある休憩スペースとして当該半屋外空間２を利用することができる。また、屋内空間３は、当該屋内空間３の正面及び一側面の２面が半屋外空間２と隣接し、当該２面に隣接して３階に吹き抜けており、２階及び３階において上記２面にわたって屋内空間３と半屋外空間２との境界である外壁１２に開口部１６ａ，１７ａ，１８，１９が設けられているため、屋内空間３において、上記２面かつ２階層にわたって、半屋外空間２を介して外とのつながりを多くすることができ、開放的で居心地のよい居住空間を居住者に与えることができる。
【００２６】
また、開口部１６ａ，１７ａ，１８，１９が、２階及び３階において屋内空間３と半屋外空間２の上方空間との境界に位置している外壁１２の略全体にわたって設けられている。このような構成により、２階層かつ２方向にまたがって半屋外空間２の上方からの日光を屋内空間に一層多く取り入れることが可能であり、特に冬季の日光Ｗを一層多く取り込むことができる。
【００２７】
また、突出部４は、平面視において半屋外空間２の床の略全面を覆っているため、入射角の大きい夏季の日光Ｓを一層多く遮ることができる。
【００２８】
また、突出部４が、略水平方向に張り出している。このような構成により、突出部４が水平方向に対して大きく傾いた方向に張り出している場合と比べて、入射角の小さい冬季の日光Ｗを多く取り入れることができる。また、突出部４が略水平方向に張り出していることによって、突出部４を屋外方向に延ばした場合であっても、入射角の小さい冬季の日光Ｗを遮ってしまうのを抑制することができる。
【００２９】
また、突出部４が、半屋外空間２の上方において屋根９が延設されて形成された軒１０を有している。このような構成により、屋根９が住宅１の本体と柱体６〜８とによって支持されているため、半屋外空間の庇を住宅の外壁に単に取り付けた場合と比べて、当該屋根９の軒１０を有している突出部４を一層屋外方向に延ばすことが可能である。これにより、夏季の日光Ｓを一層多く遮ることができる。また、突出部４が、前記軒１０の屋外側端部から屋外方向に張り出している庇１１をさらに有している。このような構成により、軒１０と別体としての庇１１を当該軒１０の屋外側端部に設けており、夏季の日光Ｓをより多く遮ることができる。
【００３０】
なお、住宅１は、いわゆる２世帯住宅又は２世代住宅であっても良く、中央階である２階の屋内空間３が、親世帯と子世帯とが集まって団らんすることができる居室内の空間として用いられるものであっても良い。例えば、１階は、親世帯の居住空間として用いられ、図５（ａ）に示すように、玄関２０、居室２１、寝室２２等が配置され、２階は、親世帯及び子世帯の共有空間として用いられ、図５（ｂ）に示すように、台所２３、食堂２４、居室としての屋内空間３、浴室２５等が配置され、３階は、子世帯の居住空間として用いられ、図５（ｃ）に示すように、寝室２６、広間２７等が配置されていても良い。また、図１、図２及び図５（ａ），（ｂ）に示すように、２階の半屋外空間２の下階に配された下方空間２８は、２階が１階よりも張り出すことによって当該空間が広くなるように設計された形式、すなわちオーバーハングによって形成された空間であっても良く、当該空間は、例えば、ガレージとして用いるのに適している。
【００３１】
なお、本実施の形態による住宅１では、各柱体６〜８が、略円柱形状を有している場合の例について説明したが、本発明はこれに限られるものではない。例えば、各柱体６〜８は、水平方向断面が、楕円状、矩形状、星形状等であっても良い。また、住宅１が柱体を３つ備えている場合の例について説明したが、本発明はこれに限られるものではなく、住宅１が柱体を１つ、２つ又は４つ以上備えていても良く、柱体は、半屋外空間２の床５から立設されていれば、半屋外空間２における立設場所も限定されない。また、異なる柱体が、突出部４の軒１０と庇１１とをそれぞれ支持しているものであっても良い。
【００３２】
また、突出部４が、屋根９が延びていることによって形成された軒１０を有している場合の例について説明したが、本発明はこれに限られるものではなく、突出部４が、屋根９とは別体のものであり、半屋外空間２の上方において外壁１２から屋外方向に延びている庇であっても良い。
【００３３】
また、半屋外空間２が、平面視においてＬ字状に形成されている場合の例について説明したが、本発明がこれに限られるものではないことは勿論である。例えば、半屋外空間２は、平面視においてコの字状、ロの字状等であっても良い。
【００３４】
なお、本発明の実施形態は上述の形態に限るものではなく、本発明の思想の範囲を逸脱しない範囲で適宜変更することができる。
【産業上の利用可能性】
【００３５】
本発明に係る住宅１は、冬季の日光を多く取り込むとともに、夏季の日光を多く遮るための住宅として用いることができる。
【符号の説明】
【００３６】
１                          住宅
２                          半屋外空間
３                          屋内空間
３ａ，５                    床
４                          突出部
６〜８                      柱体
９                          屋根
１６ａ，１７ａ，１８，１９  開口部
【図１】
2014084586.tif 000003
【図２】
2014084586.tif 000004
【図３】
2014084586.tif 000005
【図４】
2014084586.tif 000006
【図５】
2014084586.tif 000007
【図６】
2014084586.tif 000008